(57)【要約】      （修正有）【課題】照明器具に用いられている豆電球は、玉切れを起こしまた電力の消費を伴い、かつ停電時には役立たない点である。【解決手段】照明器具に用いる蓄光性成形品であって、当該蓄光性成形品にオス型の取り付け部を有していることを最も主要な特徴とする蓄光性成形品及び当該蓄光性成形品を用いた照明器具であり、従来照明器具に用いられている豆電球は、玉切れを起こしまた電力の消費を伴い、かつ停電時には役立たない欠点を解消し、豆電球のように玉切れを起こさず、電力消費を伴わず、かつ停電時にも役立つものである。【選択図】図１
0003122011.tif 000002
【実用新案登録請求の範囲】
【請求項１】
照明器具に用いる蓄光性成形品であって、当該蓄光性成形品がオス型の取り付け部を有していることを特徴とする蓄光性成形品。
【請求項２】
照明器具において、請求項1の蓄光性成形品を用いたことを特徴とする照明器具。
【考案の詳細な説明】
【技術分野】
【０００１】
本考案は、蓄光性成形品に関し、また蓄光性成形品を用いた照明器具に関する。
【背景技術】
【０００２】
従来、一般照明用などに多く使用されている豆電球は、軟質ガラスからなるグローブの端部に一対のリード線を備えたステムを封着し、このリード線間にタングステン製のコイル状フィラメントを配設し、ガラスグローブ内部にアルゴンなどの不活性ガスを封入した構造となっている。
【０００３】
この従来の豆電球は、主に就寝時に主灯を消した後点灯して用いられる。
【０００４】
この従来の豆電球は、内面に何も付着させない透明なガラスグローブか、あるいは、まぶしさをなくすために内面にシリカなどの微粒子金属酸化物からなる散光性皮膜を形成したガラスグローブが用いられている。
【０００５】
これらの豆電球はガラスグローブの内外面に消灯後に残光が得られるような処理が何も施されていないため、停電と同時に付近は暗闇となり物の識別ができない状態となる。この改善策として、消灯後に残光を得られるようにするために、蓄光性を有する蛍光体をガラス管の内面に塗布した蓄光形蛍光ランプが提案されている（例えば、特許文献１参照）。
【０００６】
この蓄光形蛍光ランプによれば、消灯後においても、しばらくの間、物の識別が可能な程度の残光が得られるので、家庭内のキッチン、リビングはもちろんのこと、オフィス、大型店舗、劇場、浴場、地下街などでも、非照明状態のまま居住空間や集合空間内を目的場所まで比較的安全に移動することができる。特に、人が多く集まる大型店舗、劇場、地下街などでは、万一、火災、地震などの災害発生によって停電した場合、照明空間の暗黒化によってパニック状態に陥る可能性がある。しかし、蓄光形蛍光ランプからの残光によって物の識別が可能であることから、パニック状態に陥ることなく避難することができる。このように、蓄光性を有する蛍光ランプは、直管形、環形、白熱電球形などの形状にかかわらず実用化されている（例えば特許文献２参照）。
【０００７】
しかし、蓄光性を有する蛍光ランプ、白熱電球は、寿命がありランプ切れを起こし、また電力消費を伴うという欠点があった。
【特許文献１】特開平０９-０５５１９０号公報
【特許文献２】特開２００５-３１０７５０号公報
【考案の開示】
【考案が解決しようとする課題】
【０００８】
解決しようとする問題点は、豆電球は、玉切れを起こし、また電力の消費を伴い、かつ停電時には役立たない点である。
【課題を解決するための手段】
【０００９】
本考案は、蓄光性成形品であってオス型の取り付け部を有していることを最も主要な特徴とする。
【考案の効果】
【００１０】
本考案の蓄光性成形品は、一般に使用されている既設置の照明器具の豆電球取り付け用メス型のソケット電極に本考案の蓄光性成形品を取り付けるだけで、消灯後に豆電球の替りとして電力を消費することなく用いることが出来、また万一、火災、地震などの災害発生によって停電した場合にも本考案の蓄光性成形品の残光によりパニックに陥ることなく避難できるという利点がある。
【考案を実施するための最良の形態】
【００１１】
次に、本考案の実施の形態について図面を参照して説明する。図１は本考案の蓄光性成形品の構造を示す図である。本考案の蓄光性成形品は本体に豆電球と同じ形状のオス型の取り付け部を有している。
【００１２】
まず、本考案の蓄光性成形品に用いられる蓄光性蛍光体について説明する。本考案に使用する蓄光性蛍光体としては、一般式がＭＡｌ2Ｏ4あるいはＭＡｌ14Ｏ25等でされる化合物（Ｍは、カルシウム、ストロンチウムおよびバリウムからなる群から選択された少なくとも一つ以上の金属元素）を母結晶として、付活剤としてユーロピウム（Ｅｕ）が用いられ、他に共付活剤としてジスプロシウム（Ｄｙ）、ネオジウム（Ｎｄ）などが使用され、例えば、ＳｒＡｌ2Ｏ4：Ｅｕ，Ｄｙ、Ｓｒ4Ａｌ14Ｏ25：Ｅｕ，Ｄｙ、ＣａＡｌ2Ｏ4：Ｅｕ，Ｎｄ等の蓄光性蛍光体が用いられる。
【００１３】
また、他の例としてＹ2Ｏ2Ｓを母結晶としてユーロピウム（Ｅｕ）、マグネシウム（Ｍｇ）、チタン（Ｔｉ）の付活剤を使用した、例えば、Ｙ2Ｏ3：Ｅｕ、Ｙ2Ｏ3：Ｅ
ｕ,Ｍｇ等の蓄光性蛍光体が知られている。本発明では、これらのうち少なくとも一つ以上を使用して蓄光性蛍光体として用いることが出来る。
【００１４】
尚、上記以外の蓄光性蛍光体を用いることができることは言うまでもないが、より好ましくは、青色の光は人の気持ちを静める作用があることから青色に発光するＳｒ4Ａｌ14Ｏ25：Ｅｕ，Ｄｙの蓄光性蛍光体を用いるのがよい。
【００１５】
本考案の蓄光性成形品に用いられる成形材料としては、熱可塑性樹脂、熱硬化性樹脂等の種々の樹脂またはガラス等を用いることが出来る。
【００１６】
前記成形材料は、透明である成形材料が好ましいが、半透明のものも用いることが出来る。
【００１７】
本考案の蓄光性成形品の形状は、球形が好ましいが電球と同じ形状のねじ部を有していればよく形状大きさは問わず、中実若しくは空洞であってもよい。
【００１８】
本考案でいうオス型の取り付け部とは、メス型のソケット電極に、オス型の取り付け部（電球等においては、口金と称されることがある。）を、差し込む、あるいは、ねじ込む、又は、ひねり込む、もしくは、挟み込む型、を含みあらゆるすべての形状の取り付け部を言う。
【００１９】
本考案の蓄光性成形品の成形方法は、種々の成形方法を用いることが出来る。例えば射出成形方法、中空成形方法、注型成形方法等の方法が適宜用いることが出来る。
【実施例１】
【００２０】
図１は、本考案の一例であり、本体1は、蓄光性蛍光体として、Ｓｔ4Ａｌ14Ｏ25を母結晶としてユーロピウム（Ｅｕ）を付活剤とし、共付活剤としてジスプロシウム（Ｄｙ）を使用した蓄光性蛍光体を５重量％含有するウレタンエラストマー用い、注型成形方法で成形した。この注型成形時に予め射出成形方法で成形されたＡＢＳ樹脂製のねじ込むタイプのオス型の取り付け部をインサートした。
【００２１】
ウレタンエラストマー用いた注型成形方法では、プレポリマーとして三井武田ケミカル社製のＬ−１７７０と硬化剤として４，４−ジアミニノ−３．３−ジクロロジフェニルメタンを用いた。まずプレポリマーを８０℃で予熱しながら5ｍｍＨｇ以下の減圧下で脱泡した後、予め１２０℃で加熱した硬化剤をプレポリマーに含有するイソシアネート基含有量×１３３．５÷４２×０．９により算出される比率で混合した。
【００２２】
この混合液を攪拌しつつ平均粒径５０μｍの蓄光性蛍光体を投入し更に攪拌混合し、予め取り付け部をセットされた金型に注型し、１１０℃で４時間加熱して成形して本考案の蓄光性成形品を作成した。
【実施例２】
【００２３】
実施例１で得られた蓄光性成形品を市販の照明器具に豆電球の替わりに取り付けたところ、電力消費もなく就寝時にほのかな明かりとしておおいに役立つものであった。
【産業上の利用可能性】
【００２４】
照明器具として、さまざまな用途に適用できる。
【図面の簡単な説明】
【００２５】
【図１】実施1で得られた蓄光性成形品を示した図面である。（実施例１）
【符号の説明】
【００２６】
１    蓄光性成形品本体
２    オス型の取り付け部
【図１】
0003122011.tif 000003